(57)【要約】  画像データを取得する画像データ取得部と、前記画像データを外部表示装置へ出力する画像出力処理部とを具備する電子機器において、前記画像出力処理部は、前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力する。
2014136564.tif 000002
【特許請求の範囲】
【請求項１】
画像データを取得する画像データ取得部と、
前記画像データを外部表示装置へ出力する画像出力処理部と、
を具備し、
前記画像出力処理部は、前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力する電子機器。
【請求項２】
前記割り込みイベントは、前記電子機器の外部から供給されるデータに基づいて発生する割り込みイベントであり、前記画像出力処理部は、前記割り込みイベントの属性に基づいて、前記割り込みイベントに関する複数の情報に対する取捨選択を行う請求項１に記載の電子機器。
【請求項３】
前記割り込みイベントは、前記電子機器の内部における事象に基づいて発生する割り込みイベントであり、前記画像出力処理部は、前記割り込みイベントの属性に基づいて、前記割り込みイベントに関する複数の情報に対する取捨選択を行う請求項１または請求項２に記載の電子機器。
【請求項４】
前記画像出力処理部は、前記割り込みイベントに関する複数の情報のうち前記割り込みイベントに応じた情報を選択する請求項１から３のいずれか一項に記載の電子機器。
【請求項５】
前記画像出力処理部は、前記外部表示装置の属性に基づいて、前記割り込みイベントに関する複数の情報に対する取捨選択を行う請求項１から４のいずれか一項に記載の電子機器。
【請求項６】
前記画像出力処理部は、選択した情報の表示態様を前記外部表示装置の表示態様に応じて変更する請求項１から５のいずれか一項に記載の電子機器。
【請求項７】
電子機器の画像データ出力処理方法であって、
画像データを取得する画像データ取得ステップと、
前記画像データを外部表示装置へ出力する画像出力処理ステップと、  前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力するステップと
を具備する画像データ出力処理方法。
【請求項８】
電子機器を制御するコンピュータに、
画像データを取得する画像データ取得ステップと、
前記画像データを外部表示装置へ出力する画像出力処理ステップと、  前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力するステップと
を実行させるためのプログラム。
【発明の詳細な説明】
【技術分野】
【０００１】
本発明は、電子機器、画像データ出力処理方法およびプログラムに関する。
【背景技術】
【０００２】
携帯電話機やスマートフォンにおける着信時の表示に関連して幾つかの技術が提案されている。
例えば、通常、着信画面には発信者に関する情報が含まれており、発信者が誰かといった情報や発信者の電話番号などプライバシーに関わる情報を他者に知られたくない場合がある。
これに関して、特許文献１に記載の通信端末は、秘匿表示を行う条件と、発信者識別用のマーク等とを予め記憶部に設定しておく。秘匿表示条件を満たした着信を受けると、記憶部に記憶された秘匿者設定情報又は秘匿設定されたアドレス帳に登録した発信者情報の替わりにマーク等を用いた秘匿表示によって着信を知らせる。秘匿表示を解除する操作がなされた場合は、通常の着信通知に表示を切り替える。
これにより、特許文献１に記載の通信端末では、発呼およびメールを着信した時に、発信者情報を表示する機能を持った通信端末において、第３者に着信表示を見られることによる情報漏洩を防止する。【０００３】
また、携帯電話機が画像コンテンツを表示している際に着信があった場合、着信画面を表示することで画像コンテンツの表示が中断されてしまうおそれがある。
これに関して、特許文献２に記載の携帯電話機は、チューナより受信したテレビ番組の映像を表示部にて表示中に、制御部にて無線部を介して外部イベントを受信すると、分割情報記憶部にて記憶している分割比率に基いて、画面を２分割し、テレビ番組の映像と、外部イベントが発生した旨を示す情報及び発信者に係る情報からなる通知情報とを、それぞれ表示する。
これにより、特許文献２に記載の携帯電話機では、受信した映像の表示中に電話や電子メール等の着信がある旨を、映像の表示を中断することなく通知する。
【先行技術文献】
【特許文献】
【０００４】
【特許文献１】日本国特開２０１０−１８３５３２号公報
【特許文献２】日本国特開２００５−１３０１３２号公報
【発明の概要】
【発明が解決しようとする課題】
【０００５】
特許文献１や特許文献２では、通信端末ないし携帯電話機がモニタ等の外部表示装置に画像データを出力している場合については考慮されていない。例えば、携帯電話機のユーザが、携帯電話機をモニタに接続して家族や友人など複数の人たちと画像コンテンツを見ている状態では、家族や友人等は、モニタが表示する情報を容易に把握できる。このため、モニタに着信画面を表示させる場合、表示させる情報がユーザまたは発信者にとって他者に知られたくない情報の場合に問題となる。
このように、携帯電話機やスマートフォンなど電子機器が外部表示装置に画像データを出力している状態では、着信など割り込みイベントに関する表示について、プライバシーに特に配慮して、表示の制御を適切に行う必要がある。【０００６】
本発明は、上述の課題を解決することのできる電子機器、画像データ出力処理方法およびプログラムを提供することを目的としている。
【課題を解決するための手段】
【０００７】
本発明の一態様による電子機器は、画像データを取得する画像データ取得部と、前記画像データを外部表示装置へ出力する画像出力処理部とを具備し、前記画像出力処理部は、前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力する。【０００８】
また、本発明の他の一態様による画像データ出力処理方法は、電子機器の画像データ出力処理方法であって、画像データを取得する画像データ取得ステップと、前記画像データを外部表示装置へ出力する画像出力処理ステップと、前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力するステップとを具備する。【０００９】
また、本発明の他の一態様によるプログラムは、電子機器を制御するコンピュータに、画像データを取得する画像データ取得ステップと、前記画像データを外部表示装置へ出力する画像出力処理ステップと、前記外部表示装置への前記画像データの出力中に割り込みイベントが発生した場合、前記割り込みイベントまたは前記外部表示装置の少なくとも一方の属性に応じて、前記割り込みイベントに関する複数の情報に対する取捨選択を行い、選択した情報を前記外部表示装置へ出力するステップとを実行させる。
【発明の効果】
【００１０】
本発明によれば、電子機器が外部表示装置に画像データを出力している状態で、割り込みイベントに関する表示について、表示の制御を適切に行うことができる。
【図面の簡単な説明】
【００１１】
【図１】本発明の一実施形態における携帯端末装置の使用環境の例を示す説明図である。
【図２】同実施形態における携帯端末装置を示すブロック図である。
【図３】同実施形態において、割り込みイベント発生時における外部表示装置の表示例を示す正面図である。
【図４】同実施形態において、割り込みイベント発生時における外部表示装置の他の表示例を示す正面図である。
【図５】同実施形態における携帯端末装置がタイムシフト再生を行っているときの、外部表示装置の表示例を示す正面図である。
【図６】同実施形態における外部表示装置が表示するタイムバーの表示例を示す正面図である。
【図７】同実施形態における携帯端末装置が、割り込みイベントに関する情報を表示させる処理手順を示すフローチャートである。
【図８】同実施形態における携帯端末装置が、通話着信にて画像データのタイムシフト再生を行う処理手順を示すフローチャートである。
【図９】本発明の電子機器における最小構成を示すブロック図である。
【発明を実施するための形態】
【００１２】
以下、図面を参照して、本発明の実施の形態について説明する。以下では、本発明を携帯端末装置に適用する場合を例に説明する。ここでいう携帯端末装置とは、携帯電話機とスマートフォンとの総称である。但し、本発明の適用範囲は携帯端末装置に限らない。外部へ画像データを出力可能であり、かつ、割り込みイベントが発生し得る様々な電子機器に本発明を適用可能である。
【００１３】
例えば、本発明における電子機器は、電子メール機能と画像再生機能とを有し、画像データを外部へ出力可能な各種情報処理装置（例えば、コンピュータまたは携帯情報端末（Personal Digital Assistant；ＰＤＡ））であってもよい。あるいは、本発明における電子機器は、スケジュール管理機能（ユーザのスケジュールを管理する機能）を有し、画像データを外部へ出力可能なゲーム機であってもよい。
【００１４】
図１は、本発明の一実施形態における携帯端末装置の使用環境の例を示す説明図である。同図において、テレビ放送局１１は、放送コンテンツ（具体的にはテレビ番組）を放送基地局１２から放送波にて送信する。携帯端末装置１は、当該放送波を受信することで放送コンテンツを取得する。
ここでいうコンテンツとは、画像または音またはこれらの組み合わせなど、人が知覚可能に表現されるものである。また、放送コンテンツとは、放送にて送信されるコンテンツである。また、以下では、画像を含むコンテンツを「画像コンテンツ」と称する。
【００１５】
また、携帯端末装置１は、携帯基地局１５と無線通信を行うことで、携帯電話網（通信事業者が携帯端末装置向けに提供する通信ネットワーク）やインターネット（Internet）１３にアクセスする。また、携帯端末装置１は、アクセスポイント（Access Point；ＡＰ）１７と無線通信を行うことで、無線ＬＡＮ（Wireless Local Area Network；ＷＬＡＮ）１６やインターネット１３にアクセスする。
【００１６】
特に、携帯端末装置１は、他の電話装置（携帯端末装置または固定電話機）が発呼（発信）した音声通話やテレビ電話を、携帯基地局１５を介して着呼する（着信を受ける）。
また、携帯端末装置１は、他の電子機器が送信した電子メールを、携帯基地局１５またはアクセスポイント１７を介して受信する。
また、携帯端末装置１は、アクセスポイント１７、無線ＬＡＮ１６、インターネット１３およびセットトップボックス（Set Top Box；ＳＴＢ）１８を介して外部表示装置１９に画像データを送信することで、外部表示装置１９に画像を表示させる。
【００１７】
外部表示装置１９は、例えば液晶パネル、プラズマディスプレイパネル（Plasma Display Panel；ＰＤＰ）またはＬＥＤ（Light Emitting Diode）パネルなどの表示画面、および、スピーカを有する。そして、外部表示装置１９は、携帯端末装置１など他の電子機器から出力（例えば送信）された画像および音の表示および出力を行う。
【００１８】
また、外部表示装置１９の表示画面にはタッチセンサが設けられており、表示画面とタッチセンサとでタッチパネルを構成している。外部表示装置１９は、タッチセンサにてユーザ操作（ここではタッチ操作）を検出する。但し、外部表示装置１９がリモコン（Remote Controller）用いてのユーザ操作を受け付けるなど、タッチセンサに加えて、あるいはタッチセンサに代えて、他の操作デバイスでのユーザ操作を受け付けるようにしてもよい。
【００１９】
また、外部表示装置１９はカメラを有する。テレビ電話の際、外部表示装置１９は当該カメラにて通話者の画像を撮像する。また、外部表示装置１９はマイクを有する。テレビ電話の際、外部表示装置１９は当該カメラにて通話者の音声を採取する。そして、外部表示装置１９は、撮像した通話者の画像や採取した通話者の音声を携帯端末装置１へ送信する。
【００２０】
また、外部表示装置１９は、携帯端末装置１から外部表示装置１９自らの設置位置の問い合わせを受けると、自らの設置位置情報を取得して回答する。例えば、外部表示装置１９が、ＧＰＳ（Global Positioning System、全地球測位システム）機能を有して自らの位置情報を設置位置情報として取得する。あるいは、外部表示装置１９が、管理サーバ装置など他の電子機器から外部表示装置１９自らの設置位置情報を取得するようにしてもよい。あるいは、外部表示装置１９が、ユーザ操作による設置位置情報の入力を受けて記憶しておき、当該設置位置情報を読み出すことで取得するようにしてもよい。
【００２１】
但し、外部表示装置１９は、他の電子機器から画像データを取得して画像を表示する機能を有していればよく、他の機能は必須ではない。例えば、外部表示装置１９が、カメラやマイクを有していなくてもよいし、自らの位置情報を取得する機能を有していなくてもよい。
また、ここでいう外部表示装置１９は、携帯端末装置１の外部に画像を表示する装置であり、外部表示装置１９自体は携帯端末装置１に組み込まれていてもよい。例えば、外部表示装置１９は、携帯端末装置１の具備するプロジェクタであってもよい。この場合、外部表示装置１９は、携帯端末装置１の外部に位置するスクリーンに画像を投影することで、携帯端末装置１の外部に画像を表示する。
【００２２】
また、図１に示す使用環境は一例であって、これに限らず、携帯端末装置１が外部表示装置１９へ画像データを送信可能な環境であればよい。
例えば、携帯端末装置１が、放送波を受信する機能を有していなくてもよい。また、携帯端末装置１が外部表示装置１９と直接通信を行う場合、携帯端末装置１は、インターネット１３や無線ＬＡＮ１６にアクセスする機能を有していなくてもよい。また、上述したように本発明は携帯端末装置以外の電子機器にも適用可能であり、当該電子機器は、携帯電話網１４にアクセスする機能を有していなくてよい。
【００２３】
また、携帯端末装置１と外部表示装置１９との接続経路は、図１に示す、アクセスポイント１７、無線ＬＡＮ１６、インターネット１３およびセットトップボックス１８を介する経路に限らない。例えば、携帯端末装置１と外部表示装置１９とが有線または無線にて直接通信を行うようにしてもよい。
また、携帯端末装置１がセットトップボックス１８を介して外部表示装置１９と通信を行う場合、携帯端末装置１とセットトップボックス１８とが有線または無線にて直接通信を行うようにしてもよい。
【００２４】
あるいは、アクセスポイント１７とセットトップボックス１８とが有線または無線にて直接通信を行うようにしてもよい。従って、携帯端末装置１とセットトップボックス１８とが、インターネット１３や無線ＬＡＮ１６を介さずに通信を行うようにしてもよい。
また、携帯端末装置１とセットトップボックス１８とが、異なるアクセスポイント１７を介して無線ＬＡＮ１６にアクセスすることで通信を行うようにしてもよい。
また、セットトップボックス１８と外部表示装置１９との通信方法についても、携帯端末装置１とセットトップボックス１８との通信方法と同様、様々な通信方法を用いることができる。
【００２５】
図２は、携帯端末装置１の機能構成を示す概略ブロック図である。同図において、携帯端末装置１は、放送コンテンツ取得部１１１と、携帯通信部１１２と、対ＡＰ通信部１１３と、撮像処理部１２０と、表示処理部１３０と、入力処理部１４０と、音声処理部１５０と、記憶部１８０と、主制御部１９０とを具備する。主制御部１９０は、割り込みイベント通知処理部１９１を具備する。割り込みイベント通知処理部１９１は、情報選択部１９２と、情報付加部１９３とを具備する。
【００２６】
放送コンテンツ取得部１１１は、テレビ放送波のチューナ回路を有し、放送基地局１２（図１）からの放送波を受信し復調や復号等の処理を行って放送コンテンツを取得する。放送コンテンツ取得部１１１が取得する放送コンテンツには画像データが含まれており、放送コンテンツ取得部１１１は、画像データ取得部の一例に該当する。
【００２７】
携帯通信部１１２は、携帯通信用の通信回路を有し、携帯基地局１５と通信を行って携帯電話網１４やインターネット１３にアクセスする。特に、携帯通信部１１２は、他の電話装置が発呼（発信）した音声通話を、携帯基地局１５からの呼び出し信号にて着呼する（着信を受ける）。また、携帯通信部１１２は、他の電子機器が送信した電子メールを、携帯基地局１５を介して受信する。携帯通信部１１２による音声通話の着信や電子メールの受信は、割り込みイベント（特に、携帯端末装置１の外部から供給されるデータに基づいて発生する割り込みイベント）の一例に該当する。
【００２８】
対ＡＰ通信部１１３は、ＬＡＮアクセス用の通信回路を有し、アクセスポイント１７と通信を行って無線ＬＡＮ１６やインターネット１３にアクセスする。特に、対ＡＰ通信部１１３は、他の電子機器が送信した電子メールを、アクセスポイント１７を介して受信する。携帯通信部１１２の場合と同様、対ＡＰ通信部１１３による電子メールの受信は、割り込みイベント（特に、携帯端末装置１の外部から供給されるデータに基づいて発生する割り込みイベント）の一例に該当する。
【００２９】
また、画像データの外部出力を指示するユーザ操作が行われると、対ＡＰ通信部１１３は、指定された画像データを外部表示装置１９へ送信する。より具体的には、対ＡＰ通信部１１３は、アクセスポイント１７、無線ＬＡＮ１６、インターネット１３およびセットトップボックス１８を介して外部表示装置１９に画像データを送信することで、外部表示装置１９に画像を表示させる。
【００３０】
撮像処理部１２０は、カメラを有して動画像や静止画像等を撮像し、画像データを生成する。撮像処理部１２０は、画像データ取得部の一例に該当する。
表示処理部１３０は、例えば液晶パネルまたは有機ＥＬ（Organic Electroluminescence）パネルなどの表示画面を有し、動画像や静止画像やテキスト（文字）などの各種画像を表示する。例えば、表示処理部１３０は、放送コンテンツ取得部１１１が取得した放送コンテンツの画像や、携帯通信部１１２または対ＡＰ通信部１１３が取得した電子メールや、音声通話着信時の着信画面や、撮像処理部１２０が撮像した画像などを表示する。
【００３１】
入力処理部１４０は、例えば、表示処理部１３０の表示画面に設けられたタッチセンサを有し、表示画面とタッチセンサとでタッチパネルを構成している。入力処理部１４０は、タッチセンサにてユーザ操作（ここではタッチ操作）を検出する。例えば、入力処理部１４０は、表示処理部１３０が着信画面を表示している際のタッチ操作を、呼び出しへの応答操作（通話開始操作）として検出する。
但し、入力処理部１４０がテンキーや方向キーなどの押ボタンを有するなど、タッチセンサに加えて、あるいはタッチセンサに変えて、他の操作デバイスを有していてもよい。
【００３２】
音声処理部１５０は、スピーカを有して音を出力し、また、マイクを有して周囲音を採取する。例えば、音声処理部１５０は、音声通話の際の通話相手の音声や、放送コンテンツ取得部１１１が取得する放送コンテンツの音を出力する。また、音声処理部１５０は、音声通話の際に、携帯端末装置１のユーザの音声を取得する。
【００３３】
記憶部１８０は、携帯端末装置１の具備する記憶デバイスにて実現され、各種データを記憶する。
例えば、記憶部１８０は、アドレス帳機能におけるアドレスデータとして、氏名や電話番号や電子メールアドレスや属性（例えば、家族／親族／友人／同僚などのグループ分類）などのデータを、被登録者毎に記憶する。
【００３４】
また、記憶部１８０は、携帯端末装置１のユーザのスケジュールデータを記憶する。当該スケジュールデータは、主制御部１９０がスケジュール帳機能を実行する際に用いられる。
また、記憶部１８０は、放送コンテンツ取得部１１１が取得した放送コンテンツのタイムシフト再生（放送を録画しながらの時間遅れでの再生）の際に、放送コンテンツを記憶する。
また、記憶部１８０は、撮像処理部１２０が撮像した画像を、画像データにて記憶する。
【００３５】
主制御部１９０は、携帯端末装置１の各部を制御して各種機能を実行する。主制御部１９０は、例えば、携帯端末装置１の具備するＣＰＵが、記憶部１８０からＯＳ（Operation System）やアプリケーションプログラムを読み出して実行することで実現される。
特に、主制御部１９０は、記憶部１８０の記憶している画像コンテンツの再生の際、記憶部１８０から画像データ（画像データを含むコンテンツのデータ）を読み出すことで画像データを取得する。主制御部１９０は、画像データ取得部の一例に該当する。
【００３６】
割り込みイベント通知処理部１９１は、所定の割り込みイベントが発生した場合に、割り込みイベント発生を携帯端末装置１のユーザに通知する処理を行う。
ここでいう所定の割り込みイベントは、携帯端末装置１の外部から供給されるデータに基づいて発生する割り込みイベントであってもよいし、携帯端末装置１の内部から供給されるデータに基づいて発生する割り込みイベントであってもよい。
【００３７】
以下では、携帯端末装置１の外部から供給されるデータに基づいて発生する割り込みイベントを「外部からの割り込みイベント」と称する。また、携帯端末装置１の内部から供給されるデータに基づいて発生する割り込みイベントを「内部からの割り込みイベント」と称する。
外部からの割り込みイベントの例として、音声通話着信や、テレビ電話着信や、電子メール受信や、ＳＮＳ（Social Network Service）投稿の新着や、ニュースの新着が挙げられる。
また、内部からの割り込みイベントの例として、スケジュール帳機能にて設定されている時刻の到来に基づくアラームが挙げられる。
【００３８】
情報選択部１９２は、外部表示装置１９への画像データの出力（送信）中に割り込みイベントが発生した場合、割り込みイベントまたは外部表示装置１９の少なくとも一方の属性に応じて、割り込みイベントに関する複数の情報に対する取捨選択を行う。
外部からの割り込みイベントの属性の例として、携帯端末装置１のユーザと着信相手との関係（例えば、家族／友人／会社同僚／仕事関係者などの区別）や、着信相手の秘密性（例えば、アドレス帳機能にてシークレット設定されている相手か否か）が挙げられる。
ここでいうシークレット設定とは、他者に情報を知られにくくするための設定である。例えば通常の表示において、携帯端末装置１は、シークレット設定された項目を表示しない。
また、内部からの割り込みイベントの属性の例として、スケジュール内容の秘密性（例えば、スケジュール帳機能にてシークレット設定されている内容か否か）が挙げられる。
【００３９】
また、外部表示装置１９の属性の例として、家庭用、会社用、イベント用など、外部表示装置１９の用途が挙げられる。あるいは、外部表示装置１９の設置場所または所有者を外部表示装置１９の属性として用いるようにしてもよい。
外部表示装置１９の属性を識別する前提としての外部表示装置１９を識別する情報としても、様々な情報を用いることができる。
【００４０】
例えば、外部表示装置１９を識別する情報として、外部表示装置１９毎に設定された装置ＩＤ（例えば型番および製造番号）を用いるようにしてもよい。この場合、例えば、記憶部１８０が予め、装置ＩＤと外部表示装置１９の用途とを対応付けて記憶しておく。
あるいは、外部表示装置１９の設置位置情報を用いるようにしてもよい。この場合、例えば、記憶部１８０が予め、外部表示装置１９の設置位置と外部表示装置１９の用途とを対応付けて記憶しておく。外部表示装置１９の設置位置情報を取得する方法としても、上述したＧＰＳ機能を用いる方法や、他の電子機器から取得する方法や、ユーザ操作による方法など様々な方法を用いることができる。
【００４１】
また、情報選択部１９２が、画像の属性に応じて、割り込みイベントに関する複数の情報に対する取捨選択を行うようにしてもよい。
画像の属性の例として、画像の種別（映画／スポーツ／アニメ／ドラマ／プレゼン用動画／社内資料などの種別）や、年齢制限情報または年齢推奨情報（子供向け／一般向け／成人のみなどの区分情報）が挙げられる。
これらの画像の属性が格納フォルダにて示されていてもよい。例えば、映画、スポーツ、アニメ、ドラマ、プレゼン用動画、社内資料、シークレット、家族写真、家族ムービーの各格納フォルダに、画像データが分類して格納されていてもよい。
【００４２】
外部からの割り込みイベントが発生した場合に情報選択部１９２が割り込みイベントに関する複数の情報に対する取捨選択を行う例として、電話着信時に発信者の属性に基づいて外部表示装置１９に着信通知を表示するか否かの選択を行うことが挙げられる。
例えば、外部表示装置１９が子供向けのアニメーションを表示している場合、家族でアニメーションを見ていることが考えられる。かかる場合に親族からの電話着信があれば、情報選択部１９２は、割り込みイベントに関する情報として、発信者の氏名や電話番号や顔画像など発信者を示す情報を選択する。そして、外部表示装置１９は、情報選択部１９２が選択した情報を、アニメーションの表示に加えて表示する。
これにより、アニメーションを見ている家族全員が、親族からの着信を知ることができる。従って、親族（発信者）と話をしたい者が、親族と話をする機会を得られる。
【００４３】
一方、外部表示装置１９が仕事のプレゼンテーション用の動画像を表示している場合、例えば会社の同僚とプレゼンテーションを見ていることが考えられる。かかる場合に携帯端末装置１のユーザの親族からの電話着信があっても、情報選択部１９２は、割り込みイベントに関する情報を何も選択せず、外部表示装置１９は、着信通知の表示を行わない。
あるいは、外部表示装置１９が、「着信中です」とのメッセージを表示するなど、業務に支障の生じない形態で着信通知を表示するようにしてもよい。
【００４４】
一方、外部表示装置１９が仕事のプレゼンテーション用の動画像を表示している場合に、会社の同僚からの電話着信があれば、情報選択部１９２は、割り込みイベントに関する情報として、発信者の氏名や電話番号や顔画像など発信者を示す情報を選択する。そして、外部表示装置１９は、情報選択部１９２が選択した情報を、動画像（プレゼンテーション）の表示に加えて表示する。
これにより、動画像を見ている者全員が、会社の同僚からの着信を知ることができる。
従って、会社の同僚（発信者）と話をしたい者が、会社の同僚と話をする機会を得られる。
【００４５】
内部からの割り込みイベントが発生した場合に情報選択部１９２が割り込みイベントに関する複数の情報に対する取捨選択を行う例として、スケジュール帳機能に登録された時刻の到来時に、スケジュールの属性に基づいて外部表示装置１９に時刻到来通知を表示するか否かの選択を行うことが挙げられる。
例えば、シークレット設定されているスケジュールの時刻が到来した場合、他者に知られたくないスケジュールであることが考えられる。そこで、情報選択部１９２は、割り込みイベントに関する情報を何も選択せず、外部表示装置１９は、時刻到来通知の表示を行わない。
あるいは、外部表示装置１９が、「アラーム時刻です」とのメッセージを表示するなど、スケジュールの内容を表示せずに、時刻が到来したことのみを通知するようにしてもよい。
【００４６】
一方、シークレット設定されていないスケジュールの時刻が到来した場合、情報選択部１９２は、割り込みイベントに関する情報として、スケジュールの内容や登録された時刻などの情報を選択する。そして、外部表示装置１９は、情報選択部１９２が選択した情報を、表示中の画像コンテンツに加えて表示する。
これにより、携帯端末装置１のユーザは、スケジュールの内容を把握することができ、スケジュールに応じて適切な行動を取り易くなる。
【００４７】
情報選択部１９２が、割り込みイベントに関する複数の情報のうち割り込みイベントに応じた情報を選択する例として、上記のように、スケジュールがシークレット設定されているか否かに応じた情報を選択することが挙げられる。同様に、電話着信時に、アドレス帳機能にて発信者の情報がシークレット設定されているか否かに応じて、情報選択部１９２が、発信者の氏名や電話番号や顔画像を選択するか否かを決定することも、例として挙げられる。
【００４８】
情報選択部１９２が、外部表示装置１９の属性に基づいて、割り込みイベントに関する複数の情報に対する取捨選択を行う例として、電話着信時に外部表示装置１９の設置位置または用途に基づいて、外部表示装置１９に着信通知を表示するか否かの選択を行うことが挙げられる。
例えば、外部表示装置１９が携帯端末装置１のユーザの自宅の外部表示装置１９である場合、携帯端末装置１のユーザが一人で、あるいは家族と画像コンテンツを見ていることが考えられる。携帯端末装置１のユーザ自身や家族に対しては、発信者を知られても問題無いことが考えられる。
【００４９】
かかる場合に電話着信があれば、情報選択部１９２は、割り込みイベントに関する情報として、発信者の氏名や電話番号や顔画像など発信者を示す情報を選択する。そして、外部表示装置１９は、情報選択部１９２が選択した情報を、画像コンテンツの表示に加えて表示する。
外部表示装置１９が発信者を示す情報を表示することで、携帯端末装置１のユーザは、発信者が誰かを知ることができる。
【００５０】
一方、外部表示装置１９が会社の外部表示装置１９である場合、携帯端末装置１のユーザは、例えば会社の同僚と業務上の動画像コンテンツを見ていることが考えられる。かかる場合、業務に支障が生じないよう、電話着信があっても情報選択部１９２は割り込みイベントに関する情報を何も選択せず、外部表示装置１９は、着信通知の表示を行わない。
あるいは、外部表示装置１９が、「着信中です」とのメッセージを表示するなど、業務に支障の生じない形態で着信通知を表示するようにしてもよい。
【００５１】
また、外部表示装置１９が、知人宅の外部表示装置１９である場合など、携帯端末装置１のユーザの自宅の外部表示装置１９や会社の外部表示装置１９以外の外部表示装置１９である場合、携帯端末装置１のユーザが家族以外の者と画像コンテンツを見ていることが考えられる。そして、携帯端末装置１のユーザが、家族以外の者には発信者に関する情報を知られたくないことが考えられる。
かかる場合に電話着信があっても、情報選択部１９２は、割り込みイベントに関する情報を何も選択せず、外部表示装置１９は、着信通知の表示を行わない。
あるいは、外部表示装置１９が、「着信中です」とのメッセージを表示するなど、発信者を示す情報を含まない形態で着信通知を表示するようにしてもよい。
【００５２】
情報選択部１９２が、外部表示装置１９の属性および割り込みイベントの属性に基づいて、割り込みイベントに関する複数の情報に対する取捨選択を行う例として、電話着信時に外部表示装置１９の設置位置または用途と、発信者の属性とに基づいて外部表示装置１９に着信通知を表示するか否かの選択を行うことが挙げられる。
【００５３】
例えば、外部表示装置１９が携帯端末装置１のユーザの自宅の外部表示装置１９である場合、携帯端末装置１のユーザが一人で、あるいは家族と画像コンテンツを見ていることが考えられる。かかる場合に親族からの電話着信があれば、情報選択部１９２は、割り込みイベントに関する情報として、発信者の氏名や電話番号や顔画像など発信者を示す情報を選択する。そして、外部表示装置１９は、情報選択部１９２が選択した情報を、画像コンテンツの表示に加えて表示する。
【００５４】
外部表示装置１９が発信者を示す情報を表示することで、携帯端末装置１のユーザは、発信者が誰かを知ることができる。加えて、携帯端末装置１のユーザが家族と画像コンテンツを見ている場合、画像コンテンツを見ている家族全員が、親族からの着信を知ることができる。従って、親族（発信者）と話をしたい者が、親族と話をする機会を得られる。
【００５５】
一方、外部表示装置１９が携帯端末装置１のユーザの自宅の外部表示装置１９であっても、発信者の情報がアドレス帳機能にてシークレット設定されている場合、発信者を家族にも知られたくないことが考えられる。そこで、情報選択部１９２は、割り込みイベントに関する情報を何も選択せず、外部表示装置１９は、着信通知の表示を行わない。
あるいは、外部表示装置１９が、「着信中です」とのメッセージを表示するなど、業務に支障の生じない形態で着信通知を表示するようにしてもよい。
【００５６】
一方、外部表示装置１９が会社の外部表示装置１９である場合、携帯端末装置１のユーザは、例えば会社の同僚と業務上の動画像コンテンツを見ていることが考えられる。かかる場合に携帯端末装置１のユーザの親族からの電話着信があっても、情報選択部１９２は、割り込みイベントに関する情報を何も選択せず、外部表示装置１９は、着信通知の表示を行わない。
あるいは、外部表示装置１９が、「着信中です」とのメッセージを表示するなど、業務に支障の生じない形態で着信通知を表示するようにしてもよい。
【００５７】
また、外部表示装置１９が、知人宅の外部表示装置１９である場合など、携帯端末装置１のユーザの自宅の外部表示装置１９や会社の外部表示装置１９以外の外部表示装置１９である場合に携帯端末装置１のユーザの親族からの電話着信があっても、情報選択部１９２は、割り込みイベントに関する情報を何も選択せず、外部表示装置１９は、着信通知の表示を行わない。
あるいは、外部表示装置１９が、「着信中です」とのメッセージを表示するなど、発信者を示す情報を含まない形態で着信通知を表示するようにしてもよい。
どの条件でどの情報を表示するか（あるいは表示しないか）は、例えば携帯端末装置１のユーザが設定する。
【００５８】
情報付加部１９３は、情報選択部１９２が選択した情報を外部表示装置１９への画像データに付加（画像合成）する。その際、情報付加部１９３は、選択した情報の表示態様を外部表示装置１９の表示態様に応じて変更する。
例えば、情報付加部１９３は、付加する情報の画像（割り込みイベントに関する情報を示す画像）の輝度を、付加元の画像（画像コンテンツの画像）と同じ輝度または近い輝度になるように調整する。これにより、情報付加部１９３は、付加元の画像の雰囲気を壊さずに情報を付加し得る。
あるいは、情報付加部１９３が、付加する情報の画像の輝度を付加元の画像の輝度よりも低く（暗く）するなど、付加元の画像の輝度と異なる輝度にするようにしてもよい。これにより、付加された情報が目立つようにすることができ、ユーザが当該情報を見落とすおそれを低減させることができる。
【００５９】
対ＡＰ通信部１１３と割り込みイベント通知処理部１９１との組み合わせにて画像出力処理部の一例に該当する。すなわち、情報選択部１９２が、割り込みイベントに関する複数の情報から選択した情報を、情報付加部１９３が、外部表示装置１９への画像データに付加することで、対ＡＰ通信部１１３は、当該情報を外部表示装置１９へ出力（送信）する。
【００６０】
なお、外部表示装置１９が画像コンテンツを表示している際の表示処理部１３０の表示については、様々な設定が可能である。
例えば、携帯端末装置１は、画像コンテンツを外部表示装置１９へ送信すると、表示処理部１３０の表示を消す（何も表示させない）ようにしてもよい。また、画像コンテンツを外部表示装置１９へ送信中に、割込みイベントが発生の発生を検出すると、表示処理部１３０が、割り込みイベントに関する情報（例えば、電話着信時における発信者の氏名や電話番号や顔画像など）を表示するようにしてもよい。また、発信者の情報がアドレス帳機能にてシークレット設定されている場合は、表示処理部１３０が表示を行わないようにしてもよい。
【００６１】
図３は、割り込みイベント発生時における外部表示装置１９の表示の例を示す説明図である。同図は、携帯端末装置１からの画像コンテンツの表示中にテレビ電話着信があった場合の、外部表示装置１９の表示例を示している。外部表示装置１９は、発信者の氏名や電話番号など発信元に関する情報は表示せず、発信を示す情報のみを領域Ａ１１に表示している。
【００６２】
これにより、携帯端末装置１のユーザは、着信を知ることができ、かつ、外部表示装置１９を見ている他者に発信者が誰か知られずに済む。例えば、携帯端末装置１のユーザが知人と映画を見ている際、通話相手の氏名や電話番号はプライバシーに関する情報なので知人に知られたくない場合に、図３の例のように外部表示装置１９が発信を示す情報のみを表示することが考えられる。
また、外部表示装置１９に表示される着信情報の量が限定されることで、外部表示装置１９を見ている者が画像コンテンツの閲覧を邪魔される程度を低減させ、外部表示装置１９を見ている者の違和感や不快感を低減させることができる。
【００６３】
この場合、携帯端末装置１が知人宅の外部表示装置１９に画像データを送信中であることを検出すると、情報選択部１９２は、電話着信時において、発信者の氏名や、発信者の電話番号や、着信を示す情報など着信に関する複数の情報のうち、着信を示す情報のみを選択する。そして、情報付加部１９３は、情報選択部１９２が選択した着信を示す情報をテキストにて画像コンテンツ（例えば映画）の画像に合成し、外部表示装置１９は、当該情報の合成された画像を表示する。
なお、知人宅の外部表示装置１９との条件や、知人宅の外部表示装置１９を識別する情報は、例えば携帯端末装置１のユーザが携帯端末装置１に設定しておく。
【００６４】
また、携帯端末装置１が携帯端末装置１のユーザの自宅の外部表示装置１９に画像データを送信中であり、かつ、映画の種類が所定の種類である場合など、携帯端末装置１が知人宅の外部表示装置１９に画像データを送信中との条件に加えて、あるいは代えて、他の条件を用いることもできる。
さらに、外部表示装置１９が着信を示す情報も表示しない（画像コンテンツのみを表示する）ようにしてもよい。例えば、携帯端末装置１が会社のプレゼンテーション用の外部表示装置１９に画像データを送信中であることを検出すると、情報選択部１９２が、電話着信時において、着信に関する情報を何も選択しないようにすることで、外部表示装置１９は、画像コンテンツのみを表示する。
【００６５】
また、発信者の電話番号を他者に知られるべきでない場合、外部表示装置１９が、発信者の氏名を表示するが、発信者の電話番号は表示しないようにしてもよい。例えば、携帯端末装置１のユーザが、アドレス帳機能において、被登録者毎に電話番号の表示の可否を設定しておく。そして、発信者の電話番号が表示不可に設定されている場合、情報選択部１９２は、発信者の氏名を選択するが、発信者の電話番号は選択しない。
【００６６】
さらに、携帯端末装置１が携帯端末装置１のユーザの自宅の外部表示装置１９に画像データを送信中である場合は、発信者の電話番号を表示するようにしてもよい。例えば、携帯端末装置１が携帯端末装置１のユーザの自宅以外の外部表示装置１９に画像データを送信中であり、かつ、発信者の電話番号が表示不可に設定されている場合、情報選択部１９２は、発信者の氏名を選択するが、発信者の電話番号は選択しない。一方、携帯端末装置１が携帯端末装置１のユーザの自宅の外部表示装置１９に画像データを送信中である場合、情報選択部１９２は、発信者の電話番号の表示の可否の設定にかかわらず、発信者の氏名と、発信者の電話番号とを選択する。
【００６７】
図４は、割り込みイベント発生時における外部表示装置１９の表示の、もう１つの例を示す説明図である。同図は、携帯端末装置１からの画像コンテンツの表示中にテレビ電話着信があった場合の、外部表示装置１９の表示例を示している。外部表示装置１９は、領域Ａ２１に発信者の顔画像を表示し、領域Ａ２３に発信者の氏名や電話番号を表示している。
加えて、外部表示装置１９は、領域Ａ２２に「通話開始」ボタンを表示している。外部表示装置１９のタッチセンサが「通話開始」ボタンへのタッチ操作を検出すると、携帯端末装置１は、外部表示装置１９を介してのテレビ電話の通話を開始する。
【００６８】
具体的には、携帯端末装置１は、通話相手（発信者）側からの画像データおよび音声データを外部表示装置１９へ送信することで、通話相手の画像を外部表示装置１９に表示させ、通話相手の音声を出力させる。また、外部表示装置１９は、外部表示装置１９自らの具備するカメラで撮像した画像を通話者の画像として画像データにて携帯端末装置１へ送信し、また、外部表示装置１９自らの具備するマイクで採取した音声を通話者の音声として音声データにて携帯端末装置１へ送信する。そして、携帯端末装置１は外部表示装置１９からの画像データおよび音声データを発信者側へ送信する。
【００６９】
このように、外部表示装置１９の表示する「通話開始」ボタンにて通話開始操作を行うことで、通話相手と複数人で通話可能になる。一方、携帯端末装置１で通話開始操作を行うと、操作を行った者（例えば、携帯端末装置１のユーザ）が、通話相手と１人で通話可能になる。
携帯端末装置１は、発信者の情報（例えば、発信者の氏名、電話番号、顔画像の全て）を表示可能と判定した場合のみ、外部表示装置１９に「通話開始」ボタンを表示させ、外部表示装置１９を用いての通話を受け付ける。
【００７０】
外部表示装置１９を介してのテレビ電話の通話を行う場合、外部表示装置１９は、画像コンテンツの表示を中断する。その際、携帯端末装置１が、画像コンテンツを録画する（記憶部１８０に記憶させる）。あるいは、撮像処理部１２０が撮像した画像など携帯端末装置１が蓄積している画像（記憶部１８０が記憶している画像）を外部表示装置１９へ送信している場合、記憶部１８０は、通話開始時点またはその少し前の再生位置を、再生再開時の開始位置として記憶する。
【００７１】
そして、通話終了後、携帯端末装置１は、通話開始時点またはその少し前の再生位置から、画像データを外部表示装置１９へ送信することで、外部表示装置１９に画像コンテンツの表示を再開させる。従って、放送コンテンツの場合、外部表示装置１９はタイムシフト再生を行う。
このようにして、外部表示装置１９が通話開始時点またはその少し前の再生位置から画像コンテンツの表示を再開することで、通話者は、通話時間分を飛ばさずに（見逃さずに）画像コンテンツを見ることができる。
【００７２】
一方、携帯端末装置１にて１人で通話を行う場合、携帯端末装置１は、外部表示装置１９への画像コンテンツの送信を継続する。また、携帯端末装置１は、画像コンテンツを録画する（記憶部１８０に記憶させる）。あるいは、撮像処理部１２０が撮像した画像など携帯端末装置１が蓄積している画像（記憶部１８０が記憶している画像）を外部表示装置１９へ送信している場合、記憶部１８０は、通話開始時点またはその少し前の再生位置を、タイムシフト再生の開始位置として記憶する。
【００７３】
そして、通話終了後、携帯端末装置１は、通話開始時点またはその少し前の再生位置からのタイムシフト再生を開始する。これにより、通話中に画像コンテンツを見ることができなかった通話者が、通話時間分を飛ばさずに画像コンテンツを見ることができる。
タイムシフト再生では、携帯端末装置１は、音声出力をせずに、字幕表示をする。外部表示装置１９が出力する音声と干渉する（かぶる）ことを避けるためである。
【００７４】
図５は、携帯端末装置１がタイムシフト再生を行っているときの、外部表示装置１９の表示の例を示す説明図である。同図において、外部表示装置１９は、携帯端末装置１からの画像コンテンツの表示に加えて、携帯端末装置１のタイムシフト再生状況を表示している。具体的には、外部表示装置１９は、領域Ａ３１に、携帯端末装置１の再生画像を縮小表示し、また、タイムバーＴＢを表示している。
例えば、携帯端末装置１のタイムシフト再生時に、情報付加部１９３が、外部表示装置１９への画像データの画像に携帯端末装置１の再生画像の縮小表示や、タイムバーＴＢの画像を合成することで、外部表示装置１９はこれらの表示を行う。
【００７５】
図６は、外部表示装置１９が表示するタイムバーの例を示す説明図である。同図の例において、時刻Ｔ１１はコンテンツ再生開始位置を示し、時刻Ｔ１４は、コンテンツ再生終了位置を示す。また、時刻Ｔ１２は、携帯端末装置１における再生位置を示し、時刻Ｔ１３は、外部表示装置１９における再生位置を示す。携帯端末装置１はタイムシフト再生を行っているため、携帯端末装置１における再生位置（時刻Ｔ１２）のほうが、外部表示装置１９における再生位置（時刻Ｔ１３）よりも先頭側にある。
なお放送コンテンツで再生終了位置が不明の場合、外部表示装置１９は、コンテンツ再生開始位置（時刻Ｔ１１）と、携帯端末装置１における再生位置（時刻Ｔ１２）と、外部表示装置１９における再生位置（時刻Ｔ１３）とを示すタイムバーを表示する。
【００７６】
携帯端末装置１でのタイムシフト再生が終了すると、外部表示装置１９は、携帯端末装置１のタイムシフト再生状況の表示を終了する。
例えば、携帯端末装置１のユーザがタイムシフト再生終了操作を行うと、携帯端末装置１はタイムシフト再生を終了し、外部表示装置１９は、携帯端末装置１のタイムシフト再生状況の表示を終了する。
【００７７】
また、携帯端末装置１が倍速再生を行っている場合など、携帯端末装置１における再生速度が外部表示装置１９における再送速度よりも速い場合、携帯端末装置１における再生位置は、外部表示装置１９における再生位置に近付いていく。そして、携帯端末装置１における再生位置が、外部表示装置１９における再生位置に追いつくと、携帯端末装置１はタイムシフト再生を終了し、外部表示装置１９は、携帯端末装置１のタイムシフト再生状況の表示を終了する。この場合、携帯端末装置１で画像コンテンツを見ていた者は、以後、外部表示装置１９で画像コンテンツを見ることができる。
【００７８】
このように、外部表示装置１９が、携帯端末装置１のタイムシフト再生状況を表示することで、携帯端末装置１で画像コンテンツを見る者は、携帯端末装置１における再生位置と外部表示装置１９における再生位置との時間差を把握することができ、外部表示装置１９での視聴に切り替えるか否かの判断の参考にすることができる。
但し、外部表示装置１９が携帯端末装置１のタイムシフト再生状況を表示しないようにしてもよいし、携帯端末装置１の再生画像の縮小表示、または、タイムバーのいずれかのみを表示するようにしてもよい。
【００７９】
また、携帯端末装置１側で（具体的には、表示処理部１３０が）携帯端末装置１のタイムシフト再生状況を表示するようにしてもよい。この場合、携帯端末装置１が携帯端末装置１自らの再生画像の縮小表示を行っても、画像を見る者は、別段、付加的な情報を得ることはできない。そこで、携帯端末装置１が、タイムバーのみをコンテンツの画像に付加して表示することが考えられる。
なお、以上では、テレビ電話の場合を例に説明したが、音声通話の場合も同様である。
【００８０】
次に、図７および図８を参照して携帯端末装置１の動作について説明する。
図７は、割り込みイベント発生時に携帯端末装置１が表示処理部１３０に、割り込みイベントに関する情報を表示させる処理手順を示すフローチャートである。携帯端末装置１は、外部表示装置１９への画像コンテンツの送信を指示するユーザ操作を受けた場合や、通話など画像コンテンツ送信の中断事由が終了した場合、同図の処理を開始する。
なお、外部表示装置１９への画像コンテンツの送信を終了または中断すると、携帯端末装置１は、割り込み処理にて同図の処理を終了する。
【００８１】
図７の処理において、割り込みイベント通知処理部１９１は、割り込みイベントが発生したか否かの判定を行う（ステップＳ１０１）。割り込みイベントが発生していないと判定した場合（ステップＳ１０１：ＮＯ）、携帯端末装置１における画像データ取得部が、画像データを取得する（ステップＳ１２１）。
例えば、放送コンテンツを外部表示装置１９へ送信する場合、放送コンテンツ取得部１１１が、放送コンテンツを取得することで画像データを取得する。また、撮像処理部１２０が撮像している画像（ライブ画像）を外部表示装置１９へ送信する場合、撮像処理部１２０が、撮像を行って画像データを生成することで画像データを取得する。また、記憶部１８０が記憶している画像コンテンツを外部表示装置１９へ送信する場合、主制御部１９０が記憶部１８０から画像コンテンツを読み出すことで画像データを取得する。
【００８２】
そして、対ＡＰ通信部１１３は、ステップＳ１２１で得られた画像データ（放送コンテンツのデータなど、画像データを含むデータであってもよい）を、外部表示装置１９へ送信する（ステップＳ１２２）。
その後、ステップＳ１０１へ戻る。
【００８３】
一方、ステップＳ１０１において、割り込みイベントが発生したと判定した場合（ステップＳ１０１：ＹＥＳ）、ステップＳ１２１の場合と同様、携帯端末装置１における画像データ取得部が、画像データを取得する（ステップＳ１１１）。
次に、情報選択部１９２が、割り込みイベントに関する情報を取得する（ステップＳ１１２）。例えば、割り込みイベントが電話着信（音声通話の着信またはテレビ電話の着信）である場合、主制御部１９０が、発信者のアドレスデータ（アドレス帳機能で用いられるデータ）を記憶部１８０から読み出し、情報選択部１９２は、当該アドレスデータを取得する。
【００８４】
そして、情報選択部１９２は、ステップＳ１１２で得られた割り込みイベントに関する情報の取捨選択を行う（ステップＳ１１３）。例えば、情報選択部１９２は、発信者のアドレスデータのシークレット設定の有無や、外部表示装置１９が自宅の外部表示装置１９か否かや、外部表示装置１９へ送信中の画像データの種別等に基づいて、発信者の氏名と電話番号と顔画像とのうち、着信通知として外部表示装置１９に表示させる情報を選択する。
【００８５】
次に、情報付加部１９３は、ステップＳ１１３において情報選択部１９２が選択した情報を外部表示装置１９への画像データに付加（画像合成）する（ステップＳ１１４）。
そして、対ＡＰ通信部１１３が、ステップＳ１１４で得られた画像データ（放送コンテンツのデータなど、画像データを含むデータであってもよい）を、外部表示装置１９へ送信する（ステップＳ１１５）。
【００８６】
次に、主制御部１９０は、割り込みイベントに関する情報を確認したことを示すユーザ操作が行われたか、あるいは、割り込みイベント通知時間として設定されている所定時間が経過したか否かを判定する（ステップＳ１１６）。
当該ユーザ操作が行われておらず、かつ、所定時間が経過していないと判定した場合（ステップＳ１１６：ＮＯ）、ステップＳ１１１へ戻る。
一方、当該ユーザ操作が行われた、または、所定時間が経過したと判定した場合（ステップＳ１１６：ＹＥＳ）、ステップＳ１０１へ戻る。
【００８７】
図８は、通話着信にて携帯端末装置１が画像データのタイムシフト再生を行う処理手順を示すフローチャートである。携帯端末装置１は、外部表示装置１９への画像コンテンツの送信を指示するユーザ操作を受けた場合、同図の処理を開始する。
図８の処理において、主制御部１９０は、画像データの外部表示装置１９への送信が終了したか否かを判定する（ステップＳ２０１）。終了したと判定した場合（ステップＳ２０１：ＹＥＳ）、図８の処理を終了する。
【００８８】
一方、画像データの外部表示装置１９への送信が終了していないと判定した場合（ステップＳ２０１：Ｎ）、主制御部１９０は、着信の有無を判定する（ステップＳ２０２）。
着信無しと判定した場合（ステップＳ２０２：ＮＯ）、ステップＳ２０１へ戻る。
一方、着信有りと判定した場合、（ステップＳ２０２：ＹＥＳ）、携帯端末装置１にて通話を開始するユーザ操作が行われたか否かを判定する（ステップＳ２０３）。
【００８９】
携帯端末装置１にて通話を開始するユーザ操作が行われていないと判定した場合（ステップＳ２０３：ＮＯ）、主制御部１９０は、着信が終了したか否かを判定する（ステップＳ２１１）。着信が終了していないと判定した場合（ステップＳ２１１：ＮＯ）、ステップＳ２０３へ戻る。
一方、着信が終了したと判定した場合（ステップＳ２１１：ＹＥＳ）、ステップＳ２０１へ戻る。
【００９０】
一方、ステップＳ２０３において、携帯端末装置１にて通話を開始するユーザ操作が行われたと判定した場合（ステップＳ２０３：ＹＥＳ）、記憶部１８０は、画像の記録を開始する、あるいは、再生位置を記憶する（ステップＳ２２１）。より具体的には、携帯端末装置１が放送コンテンツを外部表示装置１９へ送信している場合、主制御部１９０は、放送コンテンツ取得部１１１の取得する放送コンテンツを記憶部１８０に記憶させる。
一方、記憶部１８０が既に記憶している画像コンテンツを外部表示装置１９へ送信している場合、主制御部１９０は、通話開始時点またはその少し前の再生位置を、タイムシフト再生の開始位置として記憶部１８０に記憶させる。
【００９１】
次に、主制御部１９０は、通話が終了したか否かを判定する（ステップＳ２２２）。
通話が終了していないと判定した場合（ステップＳ２２２：ＮＯ）、ステップＳ２２２へ戻る。すなわち、主制御部１９０は、通話終了を待ち受ける。
一方、通話が終了したと判定した場合（ステップＳ２２２：ＹＥＳ）、携帯端末装置１は、携帯端末装置１自らにおけるタイムシフト再生を開始する（ステップＳ２２３）。
【００９２】
具体的には、放送コンテンツのタイムシフト再生の場合、主制御部１９０が、記憶部１８０が録画している放送コンテンツ読み出して、表示処理部１３０に表示させる。一方、記憶部１８０が既に記憶している画像コンテンツのタイムシフト再生の場合、主制御部１９０は、記憶部１８０が記憶している再生位置（タイムシフト再生の開始位置）から、記憶部１８０の記憶している画像コンテンツを読み出して表示処理部１３０に表示させる。
タイムシフト再生終了後、図８の処理を終了する。
【００９３】
以上のように、情報選択部１９２は、外部表示装置１９への画像データの出力（本実施形態では送信）中に割り込みイベントが発生した場合、割り込みイベントまたは外部表示装置の少なくとも一方の属性に応じて、割り込みイベントに関する複数の情報に対する取捨選択を行う。そして対ＡＰ通信部１１３は、情報選択部１９２が選択した情報を、外部表示装置１９への画像データに画像合成された情報として、外部表示装置１９へ出力する。
【００９４】
これにより、携帯端末装置１は、携帯端末装置１のユーザが表示を希望しないと考えられる情報について、また、携帯端末装置１のユーザが情報の表示を希望しないと考えられる環境において、外部表示装置１９が表示する情報を制限することができる。
この点において、携帯端末装置１は、外部表示装置１９に画像データを出力している状態で、割り込みイベントに関する表示について、表示の制御を適切に行うことができる。
【００９５】
また、携帯端末装置１の外部から供給されるデータに基づいて割り込みイベントが発生した際、情報選択部１９２は、割り込みイベントの属性に基づいて、割り込みイベントに関する複数の情報に対する取捨選択を行う。
これにより、携帯端末装置１は、電話着信など外部から供給されるデータに基づいて発生する割り込みイベントに関して外部表示装置１９が表示する情報の制御を適切に行うことができる。
【００９６】
また、携帯端末装置１の内部における事象に基づいて割り込みイベントが発生した際、情報選択部１９２は、割り込みイベントの属性に基づいて、割り込みイベントに関する複数の情報に対する取捨選択を行う。
これにより、携帯端末装置１は、スケジュール帳機能に登録されている時刻の到来など携帯端末装置１の内部における事象に基づいて発生する割り込みイベントに関して外部表示装置１９が表示する情報の制御を適切に行うことができる。
【００９７】
また、情報選択部１９２は、割り込みイベントに関する複数の情報のうち割り込みイベントに応じた情報を選択する。
これにより、携帯端末装置１は、アドレス帳機能にてシークレット設定されている相手の情報や、スケジュール帳機能にてシークレット設定されているスケジュールなど、携帯端末装置１のユーザが表示を希望しないと考えられる情報について、外部表示装置１９が表示する情報を制限することができる。
この点において、携帯端末装置１は、外部表示装置１９に画像データを出力している状態で、割り込みイベントに関する表示について、表示の制御を適切に行うことができる。
【００９８】
また、情報選択部１９２は、外部表示装置１９の属性に基づいて、割り込みイベントに関する複数の情報に対する取捨選択を行う。
これにより、携帯端末装置１は、携帯端末装置１のユーザの自宅の外部表示装置１９に画像データを送信しているか、会社の外部表示装置１９に画像データを送信しているかなど環境に応じて、外部表示装置１９が表示する情報を制限することができる。
この点において、携帯端末装置１は、外部表示装置１９に画像データを出力している状態で、割り込みイベントに関する表示について、表示の制御を適切に行うことができる。
【００９９】
また、情報付加部１９３は、情報選択部１９２が選択した情報の表示態様を外部表示装置１９の表示態様に応じて変更する。
例えば、情報付加部１９３は、付加する情報の画像（割り込みイベントに関する情報を示す画像）の輝度を、付加元の画像（画像コンテンツの画像）と同じ輝度または近い輝度になるように調整する。これにより、情報付加部１９３は、付加元の画像の雰囲気を壊さずに情報を付加し得る。
あるいは、情報付加部１９３が、付加する情報の画像の輝度を付加元の画像の輝度よりも低く（暗く）するなど、付加元の画像の輝度と異なる輝度にするようにしてもよい。これにより、付加された情報が目立つようにすることができ、ユーザが当該情報を見落とすおそれを低減させることができる。
【０１００】
次に、図９を参照して、電子機器における本発明の最小構成について説明する。
図９は、電子機器における本発明の最小構成を示す概略構成図である。同図において、電子機器２は、画像データ取得部２１０と、画像出力処理部２２０とを具備する。
かかる構成において、画像データ取得部２１０は、画像データを取得する。そして、画像出力処理部２２０は、外部表示装置への画像データの出力中に割り込みイベントが発生した場合、割り込みイベントまたは外部表示装置の少なくとも一方の属性に応じて、割り込みイベントに関する複数の情報に対する取捨選択を行い、選択した情報を外部表示装置へ出力する。
【０１０１】
これにより、電子機器２は、携帯端末装置１について説明したのと同様に、電子機器２のユーザが表示を希望しないと考えられる情報について、また、電子機器２のユーザが情報の表示を希望しないと考えられる環境において、外部表示装置が表示する情報を制限することができる。
この点において、電子機器２は、外部表示装置に画像データを出力している状態で、割り込みイベントに関する表示について、表示の制御を適切に行うことができる。
【０１０２】
なお、本発明における画像コンテンツは、画像を含む様々なコンテンツとすることができる。
また、本発明における割り込みイベントは、電子機器が発生を検出可能な様々な割り込みイベントとすることができる。
また、本発明における割り込みイベントに関する情報は、上述した例に限らず、受信メールの本文、受信メールのタイトル、ＳＮＳの新着情報の送信者名、または、ＳＮＳの新着情報の内容など、様々な情報とすることができる。
【０１０３】
なお、携帯端末装置１や電子機器２の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０４】
以上、本発明の実施形態について図面を参照して詳述してきたが、具体的な構成はこの実施形態に限られるものではなく、この発明の要旨を逸脱しない範囲の設計変更等も含まれる。
【０１０５】
本願は、２０１３年３月６日に、日本に出願された特願２０１３−４４３８１号に基づき優先権を主張し、その内容をここに援用する。
【符号の説明】
【０１０６】
１  携帯端末装置  
２  電子機器  
１１１  放送コンテンツ取得部  
１１２  携帯通信部  
１１３  対ＡＰ通信部  
１２０  撮像処理部  
１３０  表示処理部  
１４０  入力処理部  
１５０  音声処理部  
１８０  記憶部  
１９０  主制御部  
１９１  割り込みイベント通知処理部  
１９２  情報選択部  
１９３  情報付加部  
２１０  画像データ取得部  
２２０  画像出力処理部  
【図１】
2014136564.tif 000003
【図２】
2014136564.tif 000004
【図３】
2014136564.tif 000005
【図４】
2014136564.tif 000006
【図５】
2014136564.tif 000007
【図６】
2014136564.tif 000008
【図７】
2014136564.tif 000009
【図８】
2014136564.tif 000010
【図９】
2014136564.tif 000011
【国際調査報告】
2014136564.tif 000012
2014136564.tif 000013